(57)【要約】  複数の機能システム（１０）を備えた動力車両を作動させる方法であって、プロファイル仕様（１４，１６）のセットを動力車両のメモリ手段（４，７，９）にファイルし、このプロファイル仕様（１４，１６）のセットに応じて少なくとも１つの機能システム（１０）をコンフィギュレーションするようにした前記方法に関わる。本発明によれば、動力車両のメモリ手段（４）に制御仕様（１４）のセットをファイルする。プロファイル仕様（１６）のセットを入力データとして制御評価装置（１１）に送り、制御評価装置（１１）は制御仕様（１４）のセットに基づいてプロファイル仕様（１６）を評価する。評価結果に基づいて少なくとも１つの機能システム（１０）のコンフィギュレーションを行なう。
2008540223.tif 000002
【特許請求の範囲】
【請求項１】
複数の機能システム（１０）を備えた動力車両を作動させる方法であって、プロファイル仕様（１６）のセットを動力車両のメモリ手段（４）にファイルし、このプロファイル仕様（１６）のセットに応じて少なくとも１つの機能システム（１０）をコンフィギュレーションするようにした前記方法において、
−動力車両のメモリ手段（４）に制御仕様（１４）のセットをファイルすること、
−プロファイル仕様（１６）のセットを入力データとして制御評価装置（１１）に送り、制御評価装置（１１）は制御仕様（１４）のセットに基づいてプロファイル仕様（１６）を評価すること、
−評価結果に基づいて少なくとも１つの機能システム（１０）のコンフィギュレーションを行なうこと、
を特徴とする方法。
【請求項２】
プロファイル仕様（１６）のセットと制御仕様（１４）のセットとを包括的なフォーマットで記憶させ、データをその構造に関し付設のドキュメントタイプ定義データにファイルすることを特徴とする、請求項１に記載の方法。
【請求項３】
プロファイル仕様（１６）のセットが第１のプロファイル仕様と第２のプロファイル仕様とを含み、第１のプロファイル仕様には機能システムに関する情報が含まれており、第２のプロファイル仕様には動力車両の少なくとも１つの機能システム（１０）に関する利用者特有のデータが含まれており、第１のプロファイル仕様と第２のプロファイル仕様とを考慮して少なくとも１つの機能システム（１０）のコンフィギュレーションを行なうことを特徴とする、請求項１または２に記載の方法。
【請求項４】
第１のプロファイル仕様は、作動時に少なくとも１つの機能システム（１０）がどのような設定、状態、および／または状態変化を受け入れることができるかについての情報を含んでいることを特徴とする、請求項３に記載の方法。
【請求項５】
第２のプロファイル仕様は１つの機能システム（１０）の優先的な設定および／または状態に関する情報を含んでいることを特徴とする、請求項３または４に記載の方法。
【請求項６】
プロファイル仕様（１６）のセットを利用者の挙動に順応させることを特徴とする、請求項１から５までのいずれか一つに記載の方法。
【請求項７】
プロファイル仕様（１６）のセットを利用者の挙動に順応させるため、利用者が行なったそれぞれの機能システム（１０）の設定、状態、および／または状態変化を記録要素（１７）により記録させることを特徴とする、請求項６に記載の方法。
【請求項８】
記録要素（１７）により記録したデータを制御評価装置（１１）に入力量として送り、該データを制御評価装置（１１）が制御仕様（１４）のセットに基づいて評価するようにして、制御評価装置（１１）によってプロファイル仕様（１６）を利用者の挙動に順応させることを特徴とする、請求項６または７に記載の方法。
【請求項９】
各機能システム（１０）にプロファイル仕様（１６）の少なくとも１つのセットと制御仕様（１４）の少なくとも１つのセットとが割り当てられていることを特徴とする、請求項１から８までのいずれか一つに記載の方法。
【請求項１０】
入力手段、出力手段、および／または入出力プロセスを、プロファイル仕様（１６）の評価に応じて診断要素（１２）によりコンフィギュレーションすることを特徴とする、請求項１から９までのいずれか一つに記載の方法。
【請求項１１】
検出した環境パラメータに基づいてプロファイル仕様（１６）の適合を行なうことを特徴とする、請求項１から１０までのいずれか一つに記載の方法。
【発明の詳細な説明】
【技術分野】
【０００１】
本発明は、複数の機能システムを備えた動力車両を作動させる方法であって、プロファイル仕様のセットを動力車両のメモリ手段にファイルし、このプロファイル仕様のセットに応じて少なくとも１つの機能システムをコンフィギュレーションするようにした前記方法に関するものである。
【背景技術】
【０００２】
今日の動力車両では、乗員および車両に関する多数の車両機能をコンフィギュレーションすることができる。このような車両機能には、たとえば電気的に位置調整可能なシートの位置調整、ラジオの調整（たとえば最後に聞いた放送局、選定した音量）、セントラルロッキングシステムの設定、外部ミラーの調整等の特に利用者の快適性に関わる機能が含まれている。コンフィギュレーションは国によって異なっていてもよい。乗員および車両に関わるコンフィギュレーションは車両のメモリおよび／または乗員に付属のキーまたはチップカードに適当なビットパターンを設けることによって行なわれる。ビットパターンは車両の始動時および／または車両の作動中に読み出され、車両システムの動作またはコンフィギュレーションおよびパラメータ化のための判定基準として用いられる。
【０００３】
ビットパターンを設けると、車両システムのあらゆるバリエーションのコンフィギュレーションを判定論理回路で考慮しなければならない。判定論理回路はビットパターンを評価するためのプログラムを具現する。機能システムの数量が増大し、これらの機能システムの個別化が増加し、さらには国によってバリエーションが異なると、判定論理回路の構成がかなり複雑になり、これに必要な記憶容量も増大する。他の欠点は、ビットパターンによるコンフィギュレーションは、提供された判定パターンに応じて簡単な二者択一的判定しか行なえず、しかも１つの機能システムの連続的な適合は実施不能である。
【０００４】
特許文献１からは、輸送手段における情報システムのコンフィギュレーション方法が知られている。このコンフィギュレーション方法では、入出力仕様のセットが情報システムのメモリ手段にファイルされる。入力手段および／または入出力手段はこの入出力仕様のセットに応じてコンフィギュレーションされる。情報システムへのコンポーネントの追装備を容易にするため、この追加コンポーネントのコンポーネント入出力仕様を出力手段、入力手段、および／または入出力プロセスに組み込む。この場合、入出力仕様はたとえばＸＭＬのような包括的なフォーマットのものである。この情報システムの情報の操作および出力は入出力仕様のセットを介して制御され、よって個別に情報システムの使用状況に適合可能である。
【０００５】
特許文献２からは、多数の走行システムを備えた車両を作動させるための他の方法が知られている。走行システムの出力信号はコーディネータへ送られる。コーディネータは、送られてきた出力信号から、レギュレータを制御するための制御信号を生成させる。コーディネータに接続されている選択装置は、コーディネータにおいて制御信号の生成のために行なったコーディネーション、すなわち走行システムから生成された個々の出力信号のコーディネーションを制御するために用いられる。この選択装置は、ドライバーの運転挙動に基づいて、デフォルトとしてコーディネータに供給される調整値を推定し、該調整値に基づいて前記制御信号を前記デフォルトに応じて生成させる認識ユニットを含んでいる。これによりコーディネータの挙動をドライバーの運転挙動に対し適合させる。この場合、操作要素の操作とその操作速度または操作頻度を運転中に検知して評価するようになっている。なお、操作要素には車両の操作ペダル（たとえばアクセルおよび／またはブレーキペダルおよび／またはクラッチペダル）およびハンドルが挙げられる。
【０００６】
さらに、特許文献３からは、車両固有のパラメータを、動力車両に割り当てられたキーにバックアップし、ドライバーが車両に乗り込む前に車両固有の設定を車両内部で制御器が行うことができるようにすることが知られている。設定される車両のパラメータとは、特にシートの位置調整および／またはミラーの位置調整および／またはラジオ受信器に記憶されている放送局の選定および／または音楽再生装置の音響設定および／またはエンジンの応答特性の設定に対しドライバーが介入できるようにするためのパラメータである。
【０００７】
特許文献４には、車両の電気設備を自動的にコンフィギュレーションするためのコンフィギュレーションシステムが記載されている。前記電気設備は、少なくとも一部がデータバスネットワークに接続されているハードウェアコンポーネントと、該ハードウェアコンポーネントの少なくとも一部に実装されている、付属の機能性を実施するためのソフトウェアコンポーネントとを含んだものである。このコンフィギュレーションシステムは特に車両の製造プロセスに関わるものである。当該コンフィギュレーションシステムには、それぞれの車両電気設備の実際のコンフィギュレーションを特徴付けるアクチュアルコンフィギュレーションデータセットを呼び出し可能にファイルするために、車両側に配置される中央のアクチュアルコンフィギュレーションデータメモリが設けられている。アクチュアルコンフィギュレーションデータメモリは直接または間接にハードウェアコンポーネントと通信可能に接続している。この場合、アクチュアルコンフィギュレーションデータメモリ内のアクチュアルコンフィギュレーションデータはＸＭＬファイル形式でファイルされている。さらに、このファイル形式の選定された構造または文法が付設の文書形式の定義ファイルにファイルされている。
【０００８】
【特許文献１】独国特許第１０１３４７１７Ｃ２号明細書
【特許文献２】独国特許出願公開第１０３２９５２３Ａ１号明細書
【特許文献３】独国特許出願公開第１０３４０１８４Ａ１号明細書
【特許文献４】独国特許出願公開第１９９２６２０６Ａ１号明細書
【発明の開示】
【発明が解決しようとする課題】
【０００９】
本発明の課題は、複数の機能システムを備えた動力車両を作動させる方法において、動力車両の機能システムのコンフィギュレーションを簡単に行なえる前記方法を提供することである。
【課題を解決するための手段】
【００１０】
この方法は、請求項１に記載の方法の構成により解決される。有利な構成は従属項から明らかである。
【００１１】
本発明による、複数の機能システムを備えた動力車両を作動させる方法では、プロファイル仕様のセットを動力車両のメモリ手段にファイルし、このプロファイル仕様のセットに応じて少なくとも１つの機能システムをコンフィギュレーションする。動力車両のメモリ手段に制御仕様のセットをファイルする。プロファイル仕様のセットを入力データとして制御評価装置に送り、制御評価装置は制御仕様のセットに基づいてプロファイル仕様を評価する。評価結果に基づいて少なくとも１つの機能システムのコンフィギュレーションを行なう。
【００１２】
本発明の範囲内では、機能システムとして、ソフトウェアを介して制御可能な動力車両のすべてのコンポーネントまたは機能が考えられる。これは、特に、たとえばアラームシステムまたはドライバーアシストシステムのような走行システムである。アラームシステムとはたとえばタイヤ圧コントロールシステム、或いは、カーブまたは交差点用の危険個所警告装置である。ドライバーアシストシステムとしては、ブレーキアシスト装置、安定性コントロール装置、速度自動制御装置または車間距離自動制御装置、或いはヨーイング制御装置が挙げられる。機能システムには、さらに、たとえばナビゲーション情報、オーディオ／ビデオデータ、走行区間の統計学的データ、燃料消費量、通信サービスを表示するための情報表示装置のようなすべての種類の快適化システムおよび情報システムが含まれる。快適化システムとしては、たとえば内部および外部ミラーの位置調整装置、シートの位置調整装置、最後に聴いた放送局または最後に聴いたデータ源に関するオーディオ装置の調整装置、エアコンの調整装置が挙げられる。これ以外にも多数の他のシステムも可能である。
【００１３】
プロファイル仕様のセットは、一般的には、利用者と車両とに関する情報、特に車両に関してはバージョンに関する情報、選択可能な操作と操作の種類および方式に関する情報、それぞれの機能システムに対し使用できる入出力手段に関する情報および可能な通信プロセスおよび対話プロセスに関する情報を含んでいる。たとえばプロファイル仕様では、いかなるメニューツリーがあるか、音声入出力が可能であるかどうか、グラフィックディスプレイがあるかどうか、いかなる種類のディスプレイがあるか、操作をキーを介して行なうべきかどうかが反映されている。プロファイル仕様には、いかなる前提のもとでデータ入出力が可能であるか、特定の機能システムを動力車両の利用者に提供すべきかすべきでないかの条件を設定することができる。また、プロファイル仕様により、入力手段として機能キーを使用できるにもかかわらず、たとえば音声操作しか許されていないことを表示することができる。バージョン表示は文書化の目的および検査目的のために設けられている。
【００１４】
車両において可能なコンフィギュレーションバリエーションをハードコード化する代わりに、すなわち固定的なソフトウェアの形態で明示する代わりに、本発明は、コンフィギュレーションに必要なすべてのデータをプロファイル仕様の形態で明示するものである。プロファイル仕様の評価は制御仕様を用いて行なう。プロファイル仕様も制御仕様も簡単に変更可能であるので、車両製造時のプロセスを簡潔化するとともに、車両を利用者の挙動に簡単に適合させることができるような簡単な個別のコンフィギュレーションが得られる。
【００１５】
有利な構成によれば、プロファイル仕様のセットと制御仕様のセットとを包括的なフォーマットで記憶させ、データをその構造に関し付設のドキュメントタイプ定義データにファイルする。包括的なフォーマットとしては、いわゆるＸＭＬ(Extensible Marked-Up Language)ファイル形式が考えられる。ＸＭＬファイル形式はＷ３Ｃ(World Wide Web Consortium)によって公表されたものであり、ＳＧＭＬ(Standard Generalized Marked-Up Language)のサブセットである。この場合、文書は階層的に記憶され、機械読み取り可能であり、解釈実行可能である。したがって、たとえばツリー構造を記憶し、その内容をマイクロコンピュータにより解釈実行させることができる。タグはデータフィールドの分別、識別のために使用し、データを自己記述式に実現させるのに用いる。有利には、ＸＭＬ形式で記憶されるプロファイル仕様と一緒にデータの構造情報または文法情報を定義ファイルで定義し、該定義ファイルをＸＭＬファイルと一緒に動力車両のメモリ手段に記憶させておくのがよい。このようにすれば、プロファイル仕様の継続的な解釈実行を可能にさせるばかりでなく、その修正をも可能にさせるような一貫した整合性のあるプロファイル仕様文書が継続的に保証される。
【００１６】
プロファイル仕様のセットは第１のプロファイル仕様と第２のプロファイル仕様とを含み、この場合少なくとも１つの機能システムのコンフィギュレーションは第１のプロファイル仕様と第２のプロファイル仕様とを考慮してを行なう。第１のプロファイル仕様には、１つの機能システムが作動中にいかなる設定または調整、状態、および／または状態変化を受け入れることができるかの情報が含まれている。このことは、第１のプロファイル仕様には１つの機能システムの技術的挙動が反映されることを意味している。
【００１７】
なお、１つのプロファイル仕様に複数の機能システムに対する情報を配置してよい。合目的には、動力車両のそれぞれの機能システムに対し別個のプロファイル仕様を表示し、これによってプロファイル仕様を変更した場合の融通性、見通しのよさを改善するのがよい。
【００１８】
これに対し第２のプロファイル仕様は、動力車両の複数の機能システムのうちの少なくとも１つの機能システムの優先的な設定に関する利用者固有の情報に関わるものである。たとえば、第２のプロファイル仕様には、利用者が最後にどの放送局に設定したか、シート、ミラー等がどの位置にあったか、利用者がスポーツ走行プログラムを選択したか快適性優先走行プログラムを選択したかなどが記憶される。したがって第２のプロファイル仕様には、少なくとも１つの機能システムのドライバー固有のコンフィギュレーションを行なうための情報が含まれている。よって第２のプロファイル仕様は第１のプロファイル仕様の一部であり、その結果コンフィギュレーションのために、第１のプロファイル仕様の内容のうち第２のプロファイル仕様に対応する内容および場合によっては既存の条件を選択して、１つの機能システムのコンフィギュレーションが行なわれる。
【００１９】
他の有利な構成によれば、プロファイル仕様のセットを利用者の挙動に順応させる。これにより、動力車両を走行時に利用者の要求およびその都度の状況に順応させることが可能である。この順応性には、最後に行った調整および／または状態の変化の検知が含まれているばかりでなく、たとえば昼或いは夜、雪或いは雨、車速、交通量などの周囲条件をも考慮することができる。特に、走行ダイナミクスに影響する車両システムを利用者の運転習癖、運転スタイルに適合させることが可能である。
【００２０】
これに加えて、第２のプロファイル仕様を順応させるため、利用者が行なったそれぞれの機能システムの調整、状態および／または状態変化の記録を、記録要素によって行なう。第２のプロファイル仕様に記憶されている機能システムの調整、状態および／または状態変化に対する調整、状態および／または状態変化の変更を確認する場合、たとえばプロファイル仕様を順応させる。この場合、どの機能システムにプロファイル仕様が関係付けられているかに応じて、確認したそれぞれの変更を直接プロファイル仕様に記録させておくことができる。他方、たとえばエンジン、変速装置、走行装置の応答特性を、ドライバーの操作要素の操作に影響させるようなプロファイル仕様の場合には、比較的長い時間にわたって観察を行なって、利用者が行なう状態の傾向を確認した後、利用者が目的としている所望挙動を推量するようにしてもよい。この場合、観察および記録の対象となるのは、特に運転中の操作要素（アクセルおよび／またはブレーキペダルおよび／またはクラッチペダルおよび／またはハンドル）の操作頻度である。一般的には、利用者によるすべての作用要素の操作を観察して対応する変更をプロファイル仕様に記録させておくことができる。
【００２１】
さらに、本発明によれば、記録要素により記録したデータを制御評価装置に入力量として送り、該データを制御評価装置が制御仕様のセットに基づいて評価するようにして、制御評価装置によってプロファイル仕様を利用者の挙動に順応させる。プロファイル仕様の評価と変更は制御評価装置で行なわれるのに対し、調整、状態および／または状態変化の変更の観察は記録要素で行なう。この場合、プロファイル仕様の変更に関する時間的な影響をも考慮することができる。プロファイル仕様の内容を、対応する機能システムの順応的コンフィギュレーションまたはパラメータ化を行なうための入力量として観察することは、プロファイル仕様にアクセス権を持つ制御評価装置ですでに述べたようにして行なう。
【００２２】
プロファイル仕様のセット、すなわち第１および第２のプロファイル仕様は、動力車両の中央の記憶手段にファイルすることができる。プロファイル仕様のセットを分割して機能システムのそれぞれのメモリ手段にファイルしてもよい。また、プロファイル仕様の一部または全部を利用者に割り当てられた車両キーまたはアクセスカード（チップカード）に記憶させてもよい。制御仕様のセットも同様に中央のメモリ手段に記憶させてよい。制御仕様のために別個のメモリを設けることもできる。
【００２３】
他の有利な構成によれば、入力手段、出力手段、および／または入出力プロセスを、プロファイル仕様の評価に応じて診断要素によりコンフィギュレーションする。したがって、プロファイル仕様には、いかなる入出力手段を用いて機能システムが操作されるかの情報が含まれていることができる。この場合、操作は特に他のパラメータ（たとえば環境に依存するパラメータ）に依存させることができる。したがって、たとえば高速走行の場合には、機能システムを音声入出力システムのみを介して操作できるようにしてよい。また、高速の場合、動力車両の利用者にどうしても必要な機能のみをディスプレイで提供し、あまり重要でない機能システムへのアクセスを、特定の速度を越えたかどうかに依存させるようにしてもよい。この種の情報とパラメータとは好ましくは第１のプロファイル仕様に記憶されている。この種のパラメータを利用者が調整可能である場合には、該パラメータは利用者固有のものとして第２のプロファイル仕様に含まれていてもよい。
【００２４】
さらに、本発明によれば、検出した環境パラメータに基づいてプロファイル仕様の適合を行なう。検出される環境パラメータとは、たとえば車両の実際の走行速度、或いは、ＧＰＳ送信器により検出される車両の現在位置である。
【発明を実施するための最良の形態】
【００２５】
次に、本発明の実施形態を添付の図面を用いて詳細に説明する。
図１に図示した装置は、情報システムとして構成された機能システムの一例である。図示の関係上情報システムを図示したが、これに限定されるものではない。機能システムとは、原理的には、動力車両に設けられる、ソフトウェアにより制御可能なコンポーネントまたは機能である。
【００２６】
動力車両に設けられた情報システム１は、操作ユニット２とメモリ手段４とマイクロコンピュータ３とから構成されている。これらは互いに電気的に接続されている。コンポーネント６，８はデータバス５を介して情報システム１に接続されている。前記コンポーネント６，８は、動力車両の個々の機能または機能システムであるところの制御器である。データバス５は光学的ＭＯＳＴ−ＢｕＳまたはＤ２Ｂ−ＢｕＳまたはＣＡＮ−Ｂｕｓとして構成されていてよい。コンポーネント６，８はインターフェースを介してデータバス５と接続されている。コンポーネント８，９はそれぞれデータを記憶するためのメモリ手段７，９を有している。
【００２７】
操作ユニット２は情報システム１の入出力手段を含んでいる。入出力手段はたとえば操作要素と、音声入出力器と、表示器とから構成されている。操作要素はキーを介して実現されていてよく、音声入力にはマイクロフォンが使用され、表示はディスプレイを介して行なわれ、音声出力はたとえばオーディオ装置のスピーカーを介して行なう。
【００２８】
操作ユニット２の制御はマイクロコンピュータ３を介して行う。したがってマイクロコンピュータ３は人間・機械インターアクションマネージャー（ＭＭＩ）の機能をもっている。この機能において、マイクロコンピュータ３は、操作ユニット２の入力手段を介して送られてきた信号を対応するコンポーネント６，８へ転送し、コンポーネント６，８からのフィードバックを正確に出力手段へ転送して出力されるよう保証している。
【００２９】
メモリ手段４内には、本情報システムに対し適用されるプロファイル仕様のセットがファイルされている。メモリ手段４は必ずしも車両内部のメモリである必要はなく、利用者のキーまたはスマートカードに設けたメモリであってよい。マイクロコンピュータ３内で使用される制御評価装置は、情報システム１のコンフィギュレーションに関連したプロファイル仕様を、同様にメモリ手段４内にファイルされているプロファイル仕様を使用して評価する。これにより、情報システムを介して制御可能なユニットがプロファイル仕様のセットを満たすよう保証されている。メモリ手段４は情報システムのプロトコル情報をファイルするためにも用いる。したがって、たとえば１つのプロファイル仕様のバリデーション（妥当性確認）が不可能な場合には、操作ユニット２へ報知して、メモリ手段４内の対応するデータセットを使用する。
【００３０】
１つの実施形態では、前記コンポーネント６，８のメモリ手段７と９にも同様にそれぞれコンポーネント６，８のプロファイル仕様が記憶されていてよい。
【００３１】
図２は、本発明による方法を実施するための個々の論理要素の概略図である。機能システム１０（たとえば図１で説明した情報システム１により形成されていてよい）は、制御評価装置１１と、診断要素１２と、プロファイル要素１３と、光学的記録要素１７とを含んでいる。
【００３２】
機能システム１０はプロファイル仕様１６のセットを含んでいる。プロファイル仕様１６は、車両に関わる第１のプロファイル仕様と、利用者に関わる第２のプロファイル仕様とを含んでいる。プロファイル仕様１６のセットはプロファイル要素１３によって読み出して解釈実行することができる。プロファイル仕様１６のセットは入力データとして制御評価装置１１に送られる。プロファイル仕様１６のセットの評価は制御仕様１４を使用して行なう。制御仕様１４には制御評価装置１１がアクセスすることができる。制御評価装置１１とは、入力データとしてのプロファイル仕様１６のセットを使用して制御仕様１４を解釈、評価するためのインタープリターである。さらに他のプロファイル仕様１５を設けてもよい。このプロファイル仕様１５は診断要素１２によって読み出し可能であり、利用者と個々の機能要素との対話状況に関する情報を含んでいる。この他のプロファイル仕様１５とはたとえばグラフィックライブラリである。プロファイル仕様１５，１６と制御仕様１４とは１個または複数個のデータの形態で包括的なフォーマット（たとえばＸＭＬ）で設けられている。したがって、車両を運転しているときに、或いは、機能システムのソフトウェア機能を定期的にアップデートする場合に、機能を簡単に交換したり、簡単に変更したりすることができる。
【００３３】
プロファイル仕様１６のセットの第１のプロファイル仕様には、作動中の機能要素がどのような設定、状態、および／または状態変化を受け入れることができるかについての情報が含まれている。この第１のプロファイル仕様は、特に、操作の選択可能性、拡張可能性、種類および態様、使用している入出力手段、情報システムに対する可能な通信プロセスおよび対話プロセスに関する情報を含んでいる。この第１のプロファイル仕様には、たとえば機能システムに対しどのメニューツリーが使用されているかが反映されている。たとえば音声入出力が可能であるかどうか、簡単なディスプレイまたはグラフィックディスプレイがあるかどうか、キーを使用できるかどうかの情報がバックアップされている。さらに第１のプロファイル仕様には、特定の速度値に依存してグラフィックディスプレイに最大でどの程度の数の事項を表示できるかを表わす条件またはパラメータを含ませることができる。
【００３４】
プロファイル仕様１６のセットの第２のプロファイル仕様には、それぞれの機能要素の利用者の好ましい設定および／または状態が含まれている。
【００３５】
プロファイル仕様に含まれている情報は、プロファイル要素１３を介して制御評価装置１１に入力量として送られる。制御評価装置１１は、これらの情報の評価に基づいて、評価の結果を診断要素１２へ送ることで機能システム１０のコンフィギュレーションを行い、オプションでパラメータ化を行う。
【００３６】
診断要素は人間・機械インターアクションマネージャーの機能をもっており、その結果利用者１８とのインターアクション（対話）が可能である。診断要素１２に割り当てられたオプションのプロファイル仕様１５には、たとえばインターアクションのためにコンフィギュレーション条件をいかにして置換できるかについての情報を含ませることができる。たとえば、プロファイル仕様１５には種々のグラフィックまたは文字のセットを含ませることができるので、情報の表示を利用者が望む態様で行なうことができる。異なる音声の音声モデルをファイルして、音声出力部を介して再生される情報を特定の音域で再生するようにしてよい。図２の図示とは異なり、これらの情報をビットパターンの形態でメモリ手段で使用してメモリ手段のデータバンクにファイルしてもよい。
【００３７】
利用者の挙動を機能システムの条件に追従させることができるようにして、優先的な設定または状態変化を記録することができるようにするため、記録論理回路１７が設けられている。記録論理回路１７は機能システムの操作の際に利用者が行なう挙動を記録し、評価用の制御評価装置１１に供給する。制御評価装置１１が機能システムの操作に関する利用者の特定の挙動を確認すると、機能システムは対応するプロファイル仕様における対応する設定および／または状態変化を変更し、記憶する。このように利用者の挙動を観察することで、機能システムの順応性が得られる。この順応性は、たとえば、ディスプレイでの情報のグラフィック表示の種類に関わるものであり、すなわち空調装置の設定、オーディオ／ビデオ装置の設定、或いはドライバビリティーを内容的にも光学的にも表示することに関わるものである。
【００３８】
したがって、機能システムの機能変更および機能拡張を行なうことが簡単に可能である。機能変更は、プロファイルデータに含まれている情報を適宜評価することによって置き換えることができる。機能拡張は機能システムを変更することなく実現させることができる。たとえばプロファイルデータから、利用者の優先目的地がどのようなものであるかを求めることができる。車両の始動時に利用者にこれらの優先目的地を記載したリストを提供することができ、その結果利用者はナビゲーションシステムの特別なプログラミングを行なう必要がない。
【００３９】
図２に図示した本発明のコンポーネントは、１つの実施形態によれば、それぞれ車両の各機能システムに設けられていてよい。しかし、複数個の論理ユニットを複数個の機能システムにわたって配分し、制御評価装置１１と診断要素１２とプロファイル要素１３と記録要素１７とを中央に１個ずつ配置してもよい。
【００４０】
このように、本発明は決定論理を機能論理から切り離したものに関わる。決定論理は制御論理と、プロファイル論理と、オプションの記録論理とを含んでいる。プロファイル仕様の１つのセットには、車両のコンフィギュレーションデータと利用者のプロファイルデータとがプロファイルパラメータとして抽象的な包括的なフォーマットで含まれている。コンフィギュレーションデータとはたとえば車両の各種ランドバージョン、車両の装備の種類等である。利用者プロファイルデータとは利用者の年齢、ドライバーのタイプ（スポーツ志向或いは快適性志向）、頻繁に使用する機能、車両の利用目的（仕事またはプライベートまたはその双方）、利用者の知識レベル（初心者または標準的な利用者またはエキスパート）である。
【００４１】
プロファイル仕様は、必要な場合には、記録論理により一方では利用者に、他方では車両のその都度の周囲状況に連続的に適合させることができる。
【００４２】
制御論理はプロファイル仕様を介してパラメータ化することができる。制御装置はプロファイル仕様のセットを入力量として使用し、包括的な制御仕様に基づいて対応する車両機能をコンフィギュレーションまたはパラメータ化する。たとえば、車速が一定の閾値を越え、呼び出しが行なわれると、この呼び出しを抑止することができる。車両が個別装備として「スポーツパッケージ」を含んでいる場合、ディスプレイでの情報の表示はこれに対応した「スポーツグラフィック」で行なうことができる。
【００４３】
上記機能論理を表示する診断論理では、機能システムを制御するパラメータのみを予め保持しておく(vorhalten)。しかしながら、診断論理は判定ツリーに関する情報を含んでおらず、意思決定時の処置態様を含んでいる。
【００４４】
本発明の処置の利点は、各種のコンフィギュレーションの例およびパラメータ化の例を、プロファイル仕様の記述を変更することにより運転時に変更させることができ、すなわちダイナミックスに変更させることができる点にある。この変更はプロファイル仕様の現時点の記述を編集またはリロードすることにより行なうことができる。特に、各種判定ツリーの例および制御例を予め保持しておく必要がないという利点がある。したがって、最終的に、機能システムを運転時に利用者およびそれぞれの状況に適合させることが可能である。たとえばＭＭＩシステムは、表示の変更、対話論理または診断論理の変更、使用可能な機能範囲の変更、提供されたヘルプの変更によって、利用者の知識レベルおよび／または走行状況による利用者の負担に対し適合させることができる。これに並行して、機能システムを走行状況および車両環境（たとえば高速道路、市街地、あるいは天候）に対し連続的に適合させることができる。さらに、特にＭＭＩに関しては、その個別化と、利用者が注文した個別装備に対する顧客に応じた適合とが可能になる。
【図面の簡単な説明】
【００４５】
【図１】本発明による方法を実施するための装置の概略構成図である。
【図２】本発明による方法を実施するための論理要素の概略構成図である。
【符号の説明】
【００４６】
１                  情報システム
２                  操作ユニット
３                  マイクロコンピュータ
４                  メモリ手段
５                  データバス
６                  コンポーネント
７                  メモリ手段
８                  コンポーネント
９                  メモリ手段
１０                機能システム
１１                制御評価装置
１２                診断要素
１３                プロファイル要素
１４                制御仕様
１５                プロフィル使用
１６                プロファイル仕様
１７                記録論理回路
１８                利用者
【図１】
2008540223.tif 000003
【図２】
2008540223.tif 000004
【国際調査報告】
2008540223.tif 000005
2008540223.tif 000006
2008540223.tif 000007
2008540223.tif 000008
2008540223.tif 000009
2008540223.tif 000010